(57)【特許請求の範囲】
【請求項１】
Ｎ個（Ｎ＞１）のタッチエレメントを有するユーザインターフェースを介した再生装置の動作方法であって、
再生するファイルを選択するステップと、
前記ファイルを前記ユーザインターフェース中のタッチエレメントの数に応じてＮ個の部分に分割するステップと、
前記ファイルを再生中に前記タッチエレメントのうちの第１のタッチエレメントへの第１の入力を検知するステップと、
前記第１の入力に応じて前記ファイルの前記Ｎ個の部分のうちの第１の部分を選択するステップと、
前記ファイルを再生中に前記第１の入力を検知した後、前記タッチエレメントのうちの第２のタッチエレメントへの第２の入力を検知するステップと、
前記第２の入力に応じて、前記Ｎ個の部分のうちの前記第１の部分内にある、
前記ファイルの前記Ｎ個の部分のうちの前記第１の部分のうちの第２の部分を選択するステップとを含み、
前記第１の入力を検知した時、前記タッチエレメントの各々が前記ファイルの前記Ｎ個の部分うちの相異なる所定の部分に対応し、
前記タッチエレメントが次々に配置され、隣接する少なくとも２つのタッチエレメントが順にタッチされたことを示す信号を検知すると、前記順にタッチされた方向に応じて早送り機能または巻き戻し機能が実行され、
前記第１と第２の入力は少なくとも所定時間続き、順にタッチされる時間は前記所定時間より短く、
前記Ｎ個のタッチエレメントは画面の一部ではない、
方法。
【請求項２】
前記ファイルの前記第１の部分は、前記第２の部分を含む複数の部分を含み、
前記第２の入力を検知した時、前記タッチエレメントの各々が前記第１の部分のうちの相異なる部分に対応する、請求項１に記載の方法。
【請求項３】
ファイルを記憶する第１の手段と、
第２の手段であって、
再生するファイルを選択し、
前記ファイルをタッチエレメントの数に応じてＮ個（Ｎ＞１）の部分に分割し、
前記ファイルを再生中に前記Ｎ個のタッチエレメントのうちの第１のタッチエレメントへの第１の入力を検知し、
前記第１の入力に応じて前記ファイルの前記Ｎ個の部分のうちの第１の部分を選択し、
前記ファイルを再生中に前記第１の入力を検知した後、前記タッチエレメントのうちの第２のタッチエレメントへの第２の入力を検知し、
前記第２の入力に応じて、前記Ｎ個の部分のうちの前記第１の部分内にある、前記ファイルの前記Ｎ個の部分のうちの前記第１の部分のうちの第２の部分を選択する前記第２の手段とを有し、
前記第１の入力を検知した時、前記タッチエレメントの各々が前記ファイルの前記Ｎ個の部分うちの相異なる所定の部分に対応し、
前記タッチエレメントが次々に配置され、前記第２の手段は、隣接する少なくとも２つのタッチエレメントが順にタッチされたことを示す信号を検知すると、前記順にタッチされた方向に応じて早送り機能または巻き戻し機能を実行する、
前記第１と第２の入力は少なくとも所定時間続き、順にタッチされる時間は前記所定時間より短く、
前記Ｎ個のタッチエレメントは画面の一部ではない、
装置。
【請求項４】
前記ファイルの前記第１の部分は、前記第２の部分を含む複数の部分を含み、
前記第２の入力を検知した時、前記タッチエレメントの各々が前記第１の部分のうちの相異なる部分に対応する、請求項３に記載の装置。
【請求項５】
前記第１の手段はメモリを有し、
前記第２の手段はプロセッサを有する、請求項３に記載の装置。
【請求項６】
オーディオ信号またはビデオ信号を含むファイルを再生する再生装置であって、
ファイルを記憶するメモリと、
Ｎ個（Ｎ＞１）のタッチエレメントと、
プロセッサであって、
再生するファイルを選択し、
前記ファイルを前記タッチエレメントの数に応じてＮ個の部分に分割し、
前記ファイルを再生中に前記タッチエレメントのうちの第１のタッチエレメントへの第１の入力を検知し、
前記第１の入力に応じて前記ファイルの前記Ｎ個の部分のうちの第１の部分を選択し、
前記ファイルを再生中に前記第１の入力を検知した後、前記タッチエレメントのうちの第２のタッチエレメントへの第２の入力を検知し、
前記第２の入力に応じて、前記Ｎ個の部分のうちの前記第１の部分内にある、
前記ファイルの前記Ｎ個の部分のうちの前記第１の部分のうちの第２の部分を選択するプロセッサとを有し、
前記タッチエレメントが次々に配置され、前記プロセッサは、隣接する少なくとも２つのタッチエレメントが順にタッチされたことを示す信号を検知すると、
順にタッチされた方向に応じて早送り機能または巻き戻し機能を実行し、
前記第１と第２の入力は少なくとも所定時間続き、順にタッチされる時間は前記所定時間より短く、
前記Ｎ個のタッチエレメントは画面の一部ではない、
再生装置。
【発明の詳細な説明】
【技術分野】
【０００１】
本発明は、データ再生装置に関し、具体的にはユーザがファイルの所望部分を便利かつ効率的に見つけられる複数のタッチエレメントを有するユーザインターフェースによる再生装置の動作方法に関する。
【背景技術】
【０００２】
ユーザは、デジタルビデオレコーダ（ＤＶＲ）等の装置により比較的大量のオーディオ及び／またはビデオコンテンツを記録したり後で再生したりできる。かかるコンテンツは１つまたは複数のファイルとして記憶される。かかるファイルのコンテンツは比較的大きいので、ファイルをナビゲーションして興味のある部分を見つけるメカニズムが必要である。
【０００３】
記憶されたコンテンツのファイルをナビゲーションできる従来からあるメカニズムとしてジョグ／シャトルダイアルがある。これは映画産業においてプロフェッショナル用のＤＶＲに利用されることが多い。ジョグ／シャトルダイアル（jog/shuttle dial）は、一般的に、いろいろな方向に押せるノブにより構成されている。例えば、ノブを右に押すとコンテンツを前方向に動かせる（例えば、早送り機能）。ノブを左に押すとコンテンツを逆方向に動かせる（例えば、巻き戻し機能）。いずれかの方向にノブを強く押すと、コンテンツはより速く動き、（画像の動きが速いので）ビデオコンテンツはディスプレイデバイスに表示されなくなる。ユーザは、従来からあるジョグ／シャトルダイアルにより記憶されたコンテンツのファイルをナビゲーションできるが、ファイルの所望部分を見つけるには不便であり時間がかかることが多い。
【発明の概要】
【発明が解決しようとする課題】
【０００４】
したがって、記憶されたコンテンツのファイルをユーザがナビゲーションできるように改良する必要がある。ここに開示する発明は、様々な問題を解決し、なかんずく、ユーザがファイルの所望部分を便利かつ効率的に見つけられる複数のタッチエレメントを有するユーザインターフェースによる再生装置の動作方法を提供する。
【課題を解決するための手段】
【０００５】
本発明の一態様によると、複数のタッチエレメントを有するユーザインターフェースによる再生装置の動作方法を開示する。一実施形態では、該方法は、前記タッチエレメントのうちの第１のタッチエレメントへの第１の入力を検知する段階と、前記第１の入力に応じてファイルの第１の部分を選択する段階と、前記第１の入力を検知した後、前記タッチエレメントのうちの第２のタッチエレメントへの第２の入力を検知する段階と、前記第２の入力に応じて前記第１の部分内にある前記ファイルの第２の部分を選択する段階とを含む。
【０００６】
本発明の他の態様によると、装置が開示される。一実施形態では、該装置は、ファイルを記憶するメモリなどの第１の手段と、複数のタッチエレメントへの入力を検知して前記入力に応じて前記ファイルの部分を選択するプロセッサなどの第２の手段とを有する。この実施形態では、第２の手段は、前記タッチエレメントのうちの第１のタッチエレメントへの第１の入力を検知し、前記第１の入力に応じてファイルの第１の部分を選択し、前記第１の入力を検知した後、前記タッチエレメントのうちの第２のタッチエレメントへの第２の入力を検知し、前記第２の入力に応じて前記第１の部分内にある前記ファイルの第２の部分を選択する。
【図面の簡単な説明】
【０００７】
添付した図面を参照して本発明の実施形態の以下の説明を読めば、上記を含む本発明の特徴と利点、及びその実施方法が明らかになり、本発明をよりよく理解できるだろう。
【図１】本発明の一実施形態による装置を示す図である。
【図２】本発明の一実施形態によるタッチエレメントを有するユーザインターフェースを示す図である。
【図３】本発明の他の一実施形態によるタッチエレメントを有するユーザインターフェースを示す図である。
【図４】本発明の一実施形態によるファイルの構成を示す図である。
【図５】本発明の一実施形態による複数のタッチエレメントを有するユーザインターフェースによる再生装置の動作させるステップを示すフローチャートである。  ここに説明する例は本発明の好ましい実施形態を説明するものであり、本発明の範囲を限定するものと解してはならない。
【発明を実施するための形態】
【０００８】
図面を参照するに、図１には本発明の一実施形態による装置１００を示した。図１に示すように、装置１００は、Ｉ／Ｏブロック１０などの入出力手段と、プロセッサ１４などの処理手段と、メモリ１８などの記憶手段とを有する。図１の要素は、集積回路を用いてその一部を実施することもできる。一実施形態では、装置１００は、デジタルビデオレコーダ（ＤＶＲ）などのデジタル記録再生装置として実施できるが、他のタイプの装置として実施してもよい。説明を分かりやすくするため、装置１００に付随する制御信号、パワー信号、及び／またはその他の要素などの従来からある要素は図１に示していないものもある。
【０００９】
Ｉ／Ｏブロック１０は装置１００の入出力機能を実行する。一実施形態では、Ｉ／Ｏブロック１０は、地上、ケーブル、衛星、インターネットその他の信号源からアナログ及び／またはデジタルフォーマットで、オーディオ信号、ビデオ信号、及び／またはデータ信号などの信号を受信できる。Ｉ／Ｏブロック１０は、処理した信号を他のデバイスに出力し、かかるデバイスから信号を受け取ることもできる。
【００１０】
プロセッサ１４は、様々な信号処理を行い、装置１００の機能を制御できる。一実施形態では、プロセッサ１４は、Ｉ／Ｏブロック１０から供給されるオーディオ信号、ビデオ信号、及びデータ信号を処理する。この処理は、同調、復調、誤り訂正（forward error correction）、及びトランスポート処理などの機能を実行し、オーディオ、ビデオ、及び／またはデータコンテンツを表すデジタルデータを生成することにより行う。かかる処理機能により生成されたデジタルデータは、さらに処理され、及び／または出力される。
【００１１】
プロセッサ１４は、本発明の原理により、複数のタッチエレメントを有するユーザインターフェースを用いて、メモリ１８に記憶されたファイル（例えば、オーディオ及び／またはビデオファイル）の所望部分を便利に、かつ効率的にユーザが見つけられるソフトウェアコードを実行できる。プロセッサ１４のこれらの態様と、上記のユーザインターフェースに関しては後で更に詳細に説明する。プロセッサ１４は、装置１００のその他の機能を実行及び／またはイネーブルすることもできる。その他の機能には、ユーザ入力の検知と処理、メモリ１８との間のデータの読み書き、その他が含まれるが、これらに限定されない。
【００１２】
メモリ１８は装置１００のデータ記憶機能を実行する。一実施形態では、メモリ１８は、例えば、オーディオ及び／またはビデオデータファイル、ソフトウェアコード、オンスクリーンディスプレイデータ（例えば、メニューなど）、ユーザ設定データその他のデジタルデータを記憶する。メモリ１８は、任意のタイプの好適なデータ記憶デバイスであり、例えば、ハードディスク、光ディスク、フラッシュメモリその他のタイプのメモリ要素を含む。
【００１３】
図２を参照するに、本発明の一実施形態によるユーザインターフェース２０を示す図を示した。図２に示したように、ユーザインターフェース２０は、円周状に連続配置された複数のタッチエレメント１〜ｎを有する。ユーザインターフェース２０は、装置１００に組み込まれても（例えば、フロントパネルに含まれても）よいし、装置１００のリモートコントロールデバイス（図示せず）に含まれてもよい。ユーザインターフェース２０に含まれるタッチエレメントの数「ｎ」は設計事項である。後で説明するように、例えば、ユーザインターフェース２０に含まれるタッチエレメントの数「ｎ」はファイルの部分に関係し、各タッチエレメント１〜ｎは一定の時間に対応している。
【００１４】
各タッチエレメント１〜ｎは、ユーザ入力（例えば、指の動きによるタッチ）を検知する入力検知ブロック１５に動作可能に結合し、対応する出力信号をプロセッサ１４に供給する。入力検知ブロック１５は、例えば、キャパシタセンサＩＣ等のデバイスとして実施し、ユーザインターフェース２０の各タッチエレメント１〜ｎを入力検知ブロック１５のピンに動作可能に結合してもよい。本発明の原理によると、ユーザインターフェース２０のタッチエレメント１〜ｎへの入力により、ユーザは装置１００の様々な機能を制御できる。
【００１５】
一実施形態では、ユーザは、ユーザインターフェース２０のタッチエレメント１〜ｎへの入力により、早送り機能や巻き戻し機能（forward and rewind functions）を実行できる。例えば、ユーザは、所定の位置（例えば、円周上の１２時の位置）から開始して、タッチエレメント１〜ｎ上で指を時計回りに動かして、装置１００に、ファイルを前方方向に動く早送り機能を実行させられる。逆に、ユーザは、１２時の位置から開始して、タッチエレメント１〜ｎ上で指を反時計回りに動かして、装置１００に、ファイルを反対方向に動く巻き戻し機能（rewind
function）を実行させられる。この実施形態では、プロセッサ１４は、隣接する少なくとも２つのタッチエレメントが順にタッチされたのを検知し、移動方向を決定し、決定した方向に応じて早送り機能または巻き戻し機能（forward
or rewind function）のいずれかを実行する。装置１００が早送り機能や巻き戻し機能を実行するスピードは、例えば、ユーザの入力のスピードに関係する（例えば、比例する）。例えば、ユーザがタッチエレメント１〜ｎ上で指を速く動かすと、早送り機能や巻き戻し機能は速く実行される。あるいはその逆である。早送り機能や巻き戻し機能を実行している時にファイルコンテンツを出力して、ユーザがファイルの所望位置をトラッキング（tracking）できるようにしてもよい。
【００１６】
他の一実施形態では、ユーザは、ユーザインターフェース２０のタッチエレメント１〜ｎへの入力により、ズーム機能（zooming function）を実行できる。ズーム機能により、ユーザは、装置１００が再生しているファイルの所望部分を便利かつ効率的に見つけられる。ズーム機能は、ユーザが比較的大きなファイルの所望部分を見つけたいときに特に有利である。装置１００のズーム機能に関しては後でさらに詳細に説明する。
【００１７】
図３を参照するに、本発明の他の一実施形態によるユーザインターフェース３０を示す図を示した。図３に示したように、ユーザインターフェース３０は、直線状に連続配置された複数のタッチエレメント１〜ｐを有する。ユーザインターフェース３０は、装置１００に組み込まれても（例えば、フロントパネルに含まれても）よいし、装置１００のリモートコントロールデバイス（図示せず）に含まれてもよい。ユーザインターフェース３０に含まれるタッチエレメントの数「ｐ」は設計事項である。後で説明するように、例えば、ユーザインターフェース３０に含まれるタッチエレメントの数「ｐ」はファイルの部分に関係し、各タッチエレメント１〜ｐは一定の時間に対応している。
【００１８】
各タッチエレメント１〜ｐは、ユーザ入力（例えば、指の動きによるタッチ）を検知する入力検知ブロック２５に動作可能に結合し、対応する出力信号をプロセッサ１４に供給する。入力検知ブロック２５は、例えば、キャパシタセンサＩＣ等のデバイスとして実施し、ユーザインターフェース３０の各タッチエレメント１〜ｐを入力検知ブロック２５のピンに動作可能に結合してもよい。本発明の原理によると、ユーザインターフェース３０のタッチエレメント１〜ｐへの入力により、ユーザは装置１００の様々な機能を制御できる。
【００１９】
一実施形態では、ユーザは、ユーザインターフェース３０のタッチエレメント１〜ｐへの入力により、前述の早送り機能や巻き戻し機能（forward and rewind functions）を実行できる。例えば、ユーザは、タッチエレメント１〜ｎ上で指を左から右に動かして、装置１００にファイルを前方方向に動く早送り機能を実行させられる。逆に、ユーザは、タッチエレメント１〜ｐ上で指を右から左に動かして、装置１００にファイルを反対方向に動く巻き戻し機能を実行させられる。装置１００が早送り機能や巻き戻し機能を実行するスピードは、例えば、ユーザの入力のスピードに関係する（例えば、比例する）。例えば、ユーザがユーザインターフェース３０のタッチエレメント１〜ｐ上で指を速く動かすと、早送り機能や巻き戻し機能は速く実行される。あるいはその逆である。早送り機能や巻き戻し機能を実行している時にファイルコンテンツを出力して、ユーザがファイルの所望位置をトラッキング（tracking）できるようにしてもよい。
【００２０】
他の一実施形態では、ユーザは、装置１００に、ユーザインターフェース３０のタッチエレメント１〜ｐへの入力により、前述のズーム機能（zooming function）を実行させられる。前述のように、このズーム機能により、ユーザは、装置１００が再生しているファイルの所望部分を便利かつ効率的に見つけられる。このズーム機能は、ユーザが比較的大きなファイルの所望位置を見つけたいときに特に有利である。図４を参照して装置１００のズーム機能をさらに詳細に説明する。
【００２１】
図４を参照するに、本発明の一実施形態によるファイル４０の構成を示す図である。図４に示したように、ファイル４０は、複数の部分１〜Ｗ（Ｗは任意の整数）を含む。ファイル４０の各部分１〜Ｗはオーディオコンテンツ及び／またはビデオコンテンツを含むものと仮定する。ファイル４０は、例えば、オーディオ及び／またはビデオ番組を表す。一実施形態では、プロセッサ１４は、ファイル４０を実質的に同じ長さの部分に分けて（すなわち、各部分１〜Ｗの長さまたは時間は略等しい）、メモリ１８に格納する。この実施形態では、プロセッサ１４は、Ｗの値を図２のユーザインターフェース２０の値ｎに設定してもよく、または図３のユーザインターフェース３０の値ｐに設定してもよい。このように、ユーザインターフェース２０と３０にそれぞれ含まれるタッチエレメントの数ｎとｐは、ファイル４０の部分の数（すなわち、１〜Ｗ）に対応（correspond）していてもよいし、または、ユーザインターフェース２０の各タッチエレメント１〜ｎとユーザインターフェース３０の各タッチエレメント１〜ｐは一定の時間に対応していてもよい。
【００２２】
他の一実施形態では、プロセッサ１４は、ファイル４０をメモリ１８に格納するときに、例えばファイル４０が最初に作成された時のパラメータ（例えば、セグメント、チャプタ、アクトの数）に基づき、大きさが実質的に等しくない部分に分けて格納してもよい。いずれの実施形態でも、ファイル４０の部分数Ｗはユーザインターフェース２０と３０にそれぞれ含まれるタッチエレメントｎとｐの数以下であることが望ましい。しかし、これは本発明の要件ではない。
【００２３】
図４に示したように、関心があるとしてファイル４０の部分４２（３番目の部分）を選択したものと仮定する。この選択は、例えば、ファイル４０を装置１００が再生している時に行ってもよい。一実施形態では、ユーザは、ユーザインターフェース２０または３０のタッチエレメントＮｏ．３を押して所定時間ホールドすることにより、または他の所定の入力しながら（例えば、リモートコントロールデバイスの選択キーを押しながら）、ユーザインターフェース２０または３０のタッチエレメントＮｏ．３にタッチすることにより、ファイル４０の部分４２（すなわち、３番目の部分）を選択する。ここで、タッチエレメントをホールドするとは、タッチするより長い時間、タッチエレメントを押し続けることである。例えば、早送り機能または巻き戻し機能を実行するときには、タッチエレメントを、ホールドではなくタッチする。プロセッサ１４は、ユーザによるこの入力選択を検知して、これに応じてファイル４０の部分４２（すなわち、３番目の部分）を選択する。プロセッサ１４は、部分４２をメモリ１８から読み出すことにより、及び／またはメモリポインタを選択された部分に対応するように設定することにより、部分４２を選択してもよい。
【００２４】
図４にさらに示したように、ファイル４０の部分４２（すなわち、３番目の部分）は、複数の部分１〜Ｘ（Ｘは任意の整数）を含む。ここで、ユーザが、部分４２の部分４４（すなわち、２番目の部分）を関心があるとしてさらに選択したものと仮定する。一実施形態では、ユーザは、ユーザインターフェース２０または３０のタッチエレメントＮｏ．２を押して所定時間ホールドすることにより、または他の所定の入力をしながら（例えば、リモートコントロールデバイスの選択キーを押しながら）、ユーザインターフェース２０または３０のタッチエレメントＮｏ．２にタッチすることにより、ファイル４２の部分４４（すなわち、２番目の部分）を選択する。プロセッサ１４は、ユーザによるこの入力選択を検知して、これに応じて部分４２内にある部分４４（すなわち、２番目の部分）を選択する。プロセッサ１４は、そのメモリポインタを新しく選択された部分に対応するように調整することにより、部分４４を選択できる。
【００２５】
図４にさらに示したように、部分４２の部分４４（すなわち、２番目の部分）は、複数の部分１〜Ｙ（Ｙは任意の整数）を含む。ここで、ユーザが、部分４４の部分４６（すなわち、１番目の部分）を関心があるとしてさらに選択したものと仮定する。一実施形態では、ユーザは、ユーザインターフェース２０または３０のタッチエレメントＮｏ．１を押して所定時間ホールドすることにより、または他の所定の入力をしながら（例えば、リモートコントロールデバイスの選択キーを押しながら）、ユーザインターフェース２０または３０のタッチエレメントＮｏ．１にタッチすることにより、部分４４の部分４６（すなわち、１番目の部分）を選択する。プロセッサ１４は、ユーザによるこの入力選択を検知して、これに応じて部分４４内にある部分４６（すなわち、１番目の部分）を選択する。プロセッサ１４は、そのメモリポインタを新しく選択された部分に対応するように調整することにより、部分４６を選択できる。
【００２６】
単一のフレーム４８を表すファイル４０のＮ番目の部分を選択するまで、ユーザインターフェース２０または３０のタッチエレメントへの入力に応じて上記のプロセスを繰り返し実行できる。もちろん、図４に示した選択プロセス中にファイルコンテンツを出力して、ユーザがファイル４０の所望部分をトラッキングできるようにしてもよい。上記の図４の実施形態では、Ｘ、Ｙ、Ｚは、ユーザインターフェース２０と３０に含まれるタッチエレメントの数ｎとｐ以下に設定し、インターフェースをユーザフレンドリーなものとすることが望ましい。しかし、これは本発明の要件ではない。
【００２７】
図５を参照するに、本発明の一実施形態による複数のタッチエレメントを有するユーザインターフェースによる再生装置を動作させるステップを示すフローチャート５００である。例示と説明のために、図５のステップは、図１の装置１００と、図２と３のユーザインターフェース２０と３０と、図４のファイル４０とを参照して説明する。図５のステップは単なる例であり、本発明を限定することを意図したものではない。
【００２８】
ステップ５１０において、ファイル再生が始まる。一実施形態では、ユーザは、入力デバイス（例えば、ユーザインターフェース２０または３０、リモートコントロールデバイスなど）を用いて、装置１００が提供するオンスクリーンメニューによりナビゲーションし、メモリ１８に記憶された関心のあるファイルを選択する。次に、ユーザは、所定の入力をする。これにより、装置１００は、ステップ５１０において、プロセッサ１４の制御下で、選択されたファイルの再生を開始する。例示と説明のため、図４に示したファイル４０がステップ５１０で再生されるものと仮定する。
【００２９】
ステップ５２０において、装置１００は所定の入力を検知したか判断する。一実施形態では、プロセッサ１４はステップ５２０において所定入力を検知する。この所定入力には、ユーザがユーザインターフェース２０のタッチエレメント１〜ｎの１つ、またはユーザインターフェース３０のタッチエレメント１〜ｐの１つを押して所定時間ホールドすること、または他の所定の入力をしつつ（例えば、リモートコントロールデバイスの選択キーを押しつつ）、ユーザインターフェース２０または３０のタッチエレメントの１つをタッチすることを含む。図５に示したように、ステップ５２０はプロセッサ１４が所定入力を検知するまで繰り返し実行される。
【００３０】
ステップ５２０において所定入力を検知すると、ステップ５３０に進み、装置１００は検知した入力に対応するファイル４０の部分を選択する。一実施形態では、ユーザがユーザインターフェース２０または３０のタッチエレメントＮｏ．３を押して所定時間ホールドすると、または他の所定の入力をしながら（例えば、リモートコントロールデバイスの選択キーを押しながら）、ユーザインターフェース２０または３０のタッチエレメントＮｏ．３にタッチすると、プロセッサ１４は、ステップ５３０の最初の繰り返しにおいてファイル４０の部分４２（すなわち、３番目の部分）を選択する。プロセッサ１４は、部分４２をメモリ１８から読み出すことにより、及び／またはメモリポインタを選択された部分に対応するように設定することにより、ファイル４０の部分４２（すなわち、３番目の部分）を選択する。
【００３１】
ステップ５３０からステップ５４０に進み、プロセッサ１４は、ステップ５３０において選択したファイル４０の部分が単一のフレームを表すファイル４０のＮ番目の部分であるか判断する。ステップ５４０における判断がネガティブであれば、ステップ５２０にループバックし、プロセッサ１４は引き続き所定入力を検知したか判断する。
【００３２】
ステップ５２０において他の所定入力を検知すると、再びステップ５３０に進み、装置１００は検知した入力に対応するファイル４０の部分を選択する。一実施形態では、ユーザがユーザインターフェース２０または３０のタッチエレメントＮｏ．２を押して所定時間ホールドすると、または他の所定の入力をしながら（例えば、リモートコントロールデバイスの選択キーを押しながら）、ユーザインターフェース２０または３０のタッチエレメントＮｏ．２にタッチすると、プロセッサ１４は、ステップ５３０の第２の繰り返しにおいてファイル４２の部分４４（すなわち、２番目の部分）を選択する。プロセッサ１４は、ステップ５３０の第２の繰り返しにおいて、メモリポインタを新しく選択された部分に対応するように調整することにより、部分４２の部分４４（すなわち、２番目の部分）を選択する。
【００３３】
ステップ５４０において判断がネガティブであれば、再びステップ５２０にループバックして、他の所定入力を検知する。ステップ５２０において他の所定入力を検知すると、再びステップ５３０に進み、装置１００は検知した入力に対応するファイル４０の部分を選択する。一実施形態では、ユーザがユーザインターフェース２０または３０のタッチエレメントＮｏ．１を押して所定時間ホールドすると、または他の所定の入力をしながら（例えば、リモートコントロールデバイスの選択キーを押しながら）、ユーザインターフェース２０または３０のタッチエレメントＮｏ．１にタッチすると、プロセッサ１４は、ステップ５３０の第３の繰り返しにおいて部分４４の部分４６（すなわち、１番目の部分）を選択する。プロセッサ１４は、ステップ５３０において、部分４６をメモリ１８から読み出すことにより、及び／またはメモリポインタを選択された部分に対応するように設定することにより、部分４４の部分４６（すなわち、１番目の部分）を選択する。
【００３４】
ステップ５４０におけるプロセッサ１４のポジティブな判断により、単一のフレーム４８を表すファイル４０のＮ番目の部分がステップ５５０において選択されたことを示されるまで、上記のプロセスを繰り返し実行する。また、ユーザは、装置１００に所定入力をすることにより、ファイル４０の所望部分にレベルごとにズームアウト（zoom out）してもよい。所定入力は、例えば、ユーザインターフェース２０または３０のタッチエレメントを押して所定時間ホールドすることにより、または他の所定入力をしながら（例えば、リモートコントロールデバイスの選択キーを押しながら）、ユーザインターフェース２０または３０のタッチエレメントにタッチすることにより行うことができる。
【００３５】
ここに説明したように、本発明は、ユーザがファイルの所望部分を便利かつ効率的に見つけられる複数のタッチエレメントを有するユーザインターフェースによる再生装置の動作方法を提供する。本発明は、ディスプレイデバイスが組み込まれている様々な装置に適用でき、ディスプレイデバイスが組み込まれていない様々な装置にも適用できる。好ましい設計があるものとして本発明を説明したが、本発明は本開示の精神と範囲内でさらに修正することができる。
【００３６】
それゆえ、本出願は、一般的な原理を用いた本発明変形、使用、適応をカバーするものである。さらに、本出願は、本開示から離れても、本発明が関係する既知のまたは慣用的なものや、添付した特許請求の範囲の範囲内に入るものをカバーするものである。
【図１】
0005579439.tif 000002
【図２】
0005579439.tif 000003
【図３】
0005579439.tif 000004
【図４】
0005579439.tif 000005
【図５】
0005579439.tif 000006